(57)【要約】【課題】電子カメラで電池の残容量の低下に気づかずに電池を使い切ってしまうことを防止する。【解決手段】電子カメラ１０は、装填されている電池４０の残容量または放電量を示す情報を取得する情報取得手段２６と、取得された情報に基づいて、新たな撮影開始を２段階で禁止する制御手段２６とを備える。【選択図】図１
2009116052.tif 000002
【特許請求の範囲】
【請求項１】
装填されている電池の残容量または放電量を示す情報を取得する情報取得手段と、
前記取得された情報に基づいて、新たな撮影開始を２段階で禁止する制御手段とを備えることを特徴とする電子カメラ。
【請求項２】
請求項１に記載の電子カメラにおいて、
前記制御手段は、前記電池の残容量が所定値まで低下した場合に１回目の禁止を行い、前記残容量が撮影および当該撮影データの記録に必要な電力に不足する場合に２回目の禁止を行うことを特徴とする電子カメラ。
【請求項３】
請求項２に記載の電子カメラにおいて、
前記制御手段は、前記１回目の禁止後、所定の操作信号に応じて前記１回目の禁止を解除することを特徴とする電子カメラ。
【請求項４】
請求項２に記載の電子カメラにおいて、
前記所定値を設定するための操作信号を発する操作部材をさらに備え、
前記制御手段は、前記操作信号に応じて前記１回目の禁止を行うための判定閾値を変更することを特徴とする電子カメラ。
【請求項５】
請求項４に記載の電子カメラにおいて、
前記所定値は前記電池の総容量に対する残容量比率で示されることを特徴とする電子カメラ。
【請求項６】
請求項４に記載の電子カメラにおいて、
前記所定値は撮影以外の所定動作時間で示されることを特徴とする電子カメラ。
【請求項７】
請求項１〜６のいずれか一項に記載の電子カメラにおいて、
前記電池の消耗状態を示す表示を行う表示手段をさらに備え、
前記制御手段は、前記１回目の禁止を解除後に使用できる電池容量を示す表示を前記表示手段に行わせることを特徴とする電子カメラ。
【発明の詳細な説明】
【技術分野】
【０００１】
本発明は、電子カメラに関する。
【背景技術】
【０００２】
電池残容量を管理し、新たな撮影可否を決定するカメラが知られている（特許文献１参照）。
【０００３】
【特許文献１】特開２００５−３９６９９号公報
【発明の開示】
【発明が解決しようとする課題】
【０００４】
従来技術では、電池の残容量が足りていれば撮影操作が許可されるので、撮影に夢中になっていると、残容量の低下に気づかずに電池を使い切ってしまうという問題があった。
【課題を解決するための手段】
【０００５】
（１）本発明による電子カメラは、装填されている電池の残容量または放電量を示す情報を取得する情報取得手段と、取得された情報に基づいて、新たな撮影開始を２段階で禁止する制御手段とを備えることを特徴とする。
（２）請求項１に記載の電子カメラにおいて、制御手段は、電池の残容量が所定値まで低下した場合に１回目の禁止を行い、残容量が撮影および当該撮影データの記録に必要な電力に不足する場合に２回目の禁止を行うこともできる。
（３）請求項２に記載の電子カメラにおいて、制御手段は、１回目の禁止後、所定の操作信号に応じて１回目の禁止を解除することもできる。
（４）請求項２に記載の電子カメラはさらに、所定値を設定するための操作信号を発する操作部材を備えてもよい。この場合の制御手段は、操作信号に応じて１回目の禁止を行うための判定閾値を変更することもできる。
（５）請求項４に記載の電子カメラにおいて、所定値は電池の総容量に対する残容量比率で示されていてもよい。
（６）請求項４に記載の電子カメラにおいて、所定値は撮影以外の所定動作時間で示されていてもよい。
（７）請求項１〜６のいずれか一項に記載の電子カメラはさらに、電池の消耗状態を示す表示を行う表示手段を備えてもよい。この場合の制御手段は、１回目の禁止を解除後に使用できる電池容量を示す表示を表示手段に行わせることもできる。
【発明の効果】
【０００６】
本発明による電子カメラでは、電池の残容量の低下に気づかずに電池を使い切ってしまうことを防止できる。
【発明を実施するための最良の形態】
【０００７】
以下、図面を参照して本発明を実施するための最良の形態について説明する。図１は、本発明の一実施の形態による電子スチルカメラ１０の構成を説明するブロック図である。図１において、カメラコントローラ２６は、マイクロコンピュータなどによって構成される。カメラコントローラ２６は、後述する各ブロックから出力される信号を入力して所定の演算を行い、演算結果に基づいて制御信号を各ブロックへ出力する。コントローラ２０は、カメラコントローラ２６からの指令に基づいて撮像系の各ブロックに対する制御信号を出力する。
【０００８】
撮像素子１４は、ＣＣＤイメージセンサなどによって構成される。撮像素子１４は、撮影レンズ１１、絞り１２およびシャッター１３を通過した被写体光による像を撮像し、撮像信号をＣＤＳ・Ａ／Ｄ変換回路１５へ出力する。
【０００９】
ＣＤＳ・Ａ／Ｄ変換回路１５は、相関二重サンプリング（ＣＤＳ）によって撮像信号のノイズを除去し、アナログ撮像信号をディジタル信号に変換する。撮像素子１４とＣＤＳ・Ａ／Ｄ変換回路１５は、それぞれタイミングジェネレータ１９から出力される駆動信号によって所定の動作タイミングで駆動される。タイミングジェネレータ１９は、コントローラ２０からの指令によって駆動信号の出力開始および出力停止を行う。
【００１０】
画像処理部１６は、コントローラ２０からの指令により、ディジタル変換後の信号に所定の画像処理を行う。画像処理は、ホワイトバランス（ＷＢ）調整処理、画像データを所定の形式（たとえば、ＪＰＥＧ）で圧縮する圧縮処理、圧縮処理後のデータを伸長する伸長処理を含む。表示制御回路１７は、画像データによる再生画像を画像表示ＬＣＤ１８に表示させるために必要な処理を行う。画像表示ＬＣＤ１８は、表示制御回路１７から出力される表示制御信号に基づいて再生画像や操作メニュー、カメラ情報などを表示する。
【００１１】
バッファメモリ２１は、画像処理部１６によって信号処理された画像データを逐次入力し、当該データを一時的に格納する。記録メディア３０は、着脱可能なフラッシュメモリなどによって構成され、バッファメモリ２１に一時格納されている画像データを記録する。
【００１２】
バッファメモリ２１は、電源が供給されなくなると記録内容が失われる反面、記録メディア３０に比べて書き込み時間が短い。一方、記録メディア３０は、電源が供給されない場合でも記録内容が保持される反面、バッファメモリ２１に比べて書き込み時間が長い。したがってコントローラ２０は、撮影シーケンス開始後に得られる画像データをバッファメモリ２１に高速で書き込みながら、バッファメモリ２１内の格納データを記録メディア３０の書き込み速度に応じて記録メディア３０へ転送し、記録する。これにより、前に撮影したコマの画像データを記録メディア３０へ記録終了していなくても、レリーズ操作が行われるとただちに撮影を行うようにしている。バッファメモリ２１および記録メディア３０のアクセスタイミングは、それぞれコントローラ２０によって制御される。
【００１３】
操作入力部材２７は、不図示のレリーズボタンなどの各種操作部材によって構成され、操作に応じた操作信号をカメラコントローラ２６へ出力する。表示出力部２８は、カメラコントローラ２６からの指令により、シャッタ速度や絞り値、露出情報など表示する。
【００１４】
モータドライバ２２は、カメラコントローラ２６からの指令によってＡＦモータ２３を駆動制御する。ＡＦモータ２３は、撮影レンズ１１を構成するフォーカスレンズ（不図示）を光軸方向に進退駆動する。絞り制御アクチュエータ２４は、カメラコントローラ２６からの指令により、所定の絞り値が得られるように絞り１２を駆動する。シャッタ制御マグネット２５は、カメラコントローラ２６からの指令により、シャッタ１３の不図示の先幕および後幕の保持および解除をそれぞれ制御する。
【００１５】
ＤＣ／ＤＣコンバータ２９は、後述する電池パック４０から供給される電池電圧をカメラ１０内の各ブロックで必要な電圧に変換する。
【００１６】
電池パック４０は、充電可能な二次電池セル４４、電池コントローラ４１、メモリ４２、容量演算素子４３、抵抗器４５、および温度検出素子４６を含む。電池パック４０がカメラ１０に装着されると、二次電池セル４４による電圧がカメラ１０のダイオード（不図示）を介してＤＣ／ＤＣコンバータ２９に印加される。この状態で電子カメラ１０のメインスイッチがオンされると、電池コントローラ４１がカメラコントローラ２６との間で通信を行うように構成されている。カメラコントローラ２６が電池コントローラ４１へ電池情報を要求する信号を送信すると、電池コントローラ４１はカメラコントローラ２６へ電池情報を送信する。電池情報は、二次電池セル４４の残容量を示す情報であり、メモリ４２に記憶されている。
【００１７】
容量演算素子４３は、抵抗器４５の両端に発生する電圧値を検出し、検出電圧を抵抗器４５の抵抗値で除算することによって二次電池セル４４に流れる電流（この場合は放電電流）を得る。容量演算素子４３は、電流値を時間積分することによって二次電池セル４４の使用済み容量（消費量情報）を算出し、算出結果を電池コントローラ４１へ送信する。使用容量の単位は、たとえば、ｍＡＨである。電池コントローラ４１は、あらかじめメモリ４２に記憶されている二次電池セル４４の総容量から使用済み容量を減算することにより、残容量を算出する（残容量＝総容量−使用済み容量）。残容量の情報はメモリ４２に記憶され、新たな残容量が算出される所定間隔ごとに更新される。
【００１８】
二次電池セル４４の総容量は、二次電池セル４４の充電時にメモリ４２に記憶される。電池パック４０は、不図示のチャージャーに装着されて充電される。容量演算素子４３は、抵抗器４５の両端に発生する電圧値を検出し、検出電圧を抵抗器４５の抵抗値で除算することによって二次電池セル４４に流れる電流（この場合は充電電流）を得る。容量演算素子４３は、電流値を時間積分することによって二次電池セル４４の充電容量を算出し、算出結果を電池コントローラ４１へ送信する。充電容量の単位は、上述したｍＡＨである。電池コントローラ４１は、充電終了時の充電容量をメモリ４２に記憶し、この値を二次電池セル４４の総容量とする（総容量＝充電前の残容量＋充電容量）。
【００１９】
温度検出素子４６は、二次電池セル４４の温度の温度を検出し、検出信号を電池コントローラ４１へ送出する。一般に、電池は低温時に放電能力が低下することが知られている。すなわち、常温時の総容量に比べて低温時の総容量が少なくなる。そこで、電池コントローラ４１は、温度検出素子４６からの検出信号を用いて総容量を補正する温度補償を行うように構成される。
【００２０】
本実施形態の電子カメラ１０は、電池パック４０の残容量に応じて、複数段階に分けて撮影操作の受付を禁止する。
【００２１】
図２は、カメラコントローラ２６で行われる撮影可否決定処理の流れを説明するフローチャートである。カメラコントローラ２６は、カメラ１０のメインスイッチ（不図示）がオンされると図２による処理を所定時間ごとに繰り返し行い、撮影可否のいずれかを決定する。図２による処理で撮影可が決定されているとき、カメラコントローラ２６は、操作入力部材２７から入力されるレリーズ操作信号に応じて撮影シーケンスを開始させる。
【００２２】
一方、カメラコントローラ２６は、図２による処理で撮影不可が決定されているとき、新たな撮影シーケンスを禁止する。この場合の電子カメラ１０は、操作入力部材２７からレリーズ操作信号が入力されても受け付けず、撮影を行わない。なお、撮影を除く他の動作（画像再生やメニュー設定など）のための操作は受付け、当該処理を行うように構成されている。
【００２３】
図２のステップＳ１１において、カメラコントローラ２６は、Ｘコマ分の電力情報Ｐをを算出してステップＳ１２へ進む。算出手順を以下に例示する。
［１］バッファメモリ２１内に記憶可能なコマ数Ｘを求める
［２］１コマ当たりの書き込みに要する電力情報ｐを求める
［３］Ｘコマ分の電力情報Ｐを求める
【００２４】
カメラコントローラ２６は、次式（１）を用いてバッファメモリ２１内に記憶可能なコマ数Ｘを算出する。
Ｘ＝（バッファサイズ）／（１コマ当たりのファイルサイズ）      （１）
ただし、バッファサイズはバッファメモリ２１の記憶容量であり、あらかじめカメラコントローラ２６内のＲＯＭ領域（不図示）に記憶されている。１コマ当たりのファイルサイズは、記録モードに応じて異なるサイズがあらかじめカメラコントローラ２６内のＲＯＭ領域（不図示）に記憶されている。カメラコントローラ２６は、カメラ１０に設定されている記録モードに対応するファイルサイズを読み出して上式（１）に代入する。
【００２５】
記録モードは、たとえば、以下のようなモードが用意されている。
１．画像データに画像処理を施さずに記録する「ＲＡＷ」
２．画像処理後の画像データを非圧縮で記録する「ＴＩＦＦ」
３．画像処理後の画像データを圧縮率約１／４で記録する「ＦＩＮＥ」
４．画像処理後の画像データを圧縮率約１／８で記録する「ＮＯＲＭＡＬ」
５．画像処理後の画像データを圧縮率約１／１６で記録する「ＢＡＳＩＣ」
ファイルサイズは、「ＲＡＷ」＞「ＴＩＦＦ」＞「ＦＩＮＥ」＞「ＮＯＲＭＡＬ」＞「ＢＡＳＩＣ」の関係を有する。
【００２６】
カメラコントローラ２６は、次式（２）を用いて１コマ当たりの書き込みに要する電力情報ｐを算出する。
ｐ＝ａ×ｔ              （２）
ただし、ａは記録メディア３０に対する書き込み時にカメラ１０全体で消費される電流（電池パック４０から供給される電流）であり、ｔは記録メディア３０に対する１コマ当たりの書き込み時間である。
【００２７】
消費電流ａは、記録メディア３０がメモリおよびデータストレージ装置のいずれによって構成されているかによって異なる。カメラコントローラ２６は、装着されている記録メディア３０の種類に応じた電流値をカメラコントローラ２６内のＲＯＭ領域（不図示）から読み出す。電流値は、あらかじめカメラコントローラ２６内のＲＯＭ領域（不図示）に記憶されている。書き込み時間ｔは、記録モード（すなわち、ファイルサイズ）に応じて異なる時間があらかじめカメラコントローラ２６内のＲＯＭ領域（不図示）に記憶されている。カメラコントローラ２６は、カメラ１０に設定されている記録モードに対応する時間ｔを読み出して上式（２）に代入する。
【００２８】
カメラコントローラ２６は、次式（３）を用いてＸコマ分の電力情報Ｐを算出する。
Ｐ＝Ｘ×ｐ              （３）
たとえば、Ｘ＝３０コマ、消費電流ａ＝５００ｍＡ、書き込み時間ｔ＝２ｓｅｃの場合、電力情報Ｐ＝３００００ｍＡｓｅｃ＝約８．３ｍＡＨである。これは、電池パック４０の残容量が少なくとも８．３ｍＡＨ以上あれば、バッファメモリ２１内に格納されている画像データを全て確実に記録メディア３０へ記憶できることを示す。
【００２９】
ステップＳ１２において、カメラコントローラ２６は、電池コントローラ４１に電池情報を要求してステップＳ１３へ進む。ステップＳ１３において、カメラコントローラ２６は、電池コントローラ４１から電池情報（残容量）を受信してステップＳ１４へ進む。
【００３０】
ステップＳ１４において、カメラコントローラ２６は、（電池パック４０の残容量）≧（総容量×１０％）が成立するか否かを判定する。カメラコントローラ２６は、（残容量）≧（総容量×１０％）が成立する場合にステップＳ１４を肯定判定してステップＳ１５へ進み、（残容量）＜（総容量×１０％）が成立する場合にはステップＳ１４を否定判定し、ステップＳ１８へ進む。
【００３１】
ステップＳ１５において、カメラコントローラ２６は、（電池パック４０の残容量）≦（電力情報Ｐ）が成立するか否かを判定する。カメラコントローラ２６は、（残容量）≦（電力情報Ｐ）が成立する場合にステップＳ１５を肯定判定してステップＳ１７へ進み、（残容量）＞（電力情報Ｐ）が成立する場合にはステップＳ１５を否定判定し、ステップＳ１６へ進む。
【００３２】
ステップＳ１６において、カメラコントローラ２６は撮影可を決定して図２による処理を終了する。ステップＳ１７において、カメラコントローラ２６は撮影不可を決定して図２による処理を終了する。
【００３３】
ステップＳ１４を否定判定して進むステップＳ１８において、カメラコントローラ２６は、継続操作済みか否かを判定する。継続操作は、電池パック４０の残容量が１０％未満になった以降も撮影を行う場合に行われる操作である。カメラコントローラ２６は、継続操作済みフラグがセットされている場合にステップＳ１８を肯定判定してステップＳ１５へ進む。この場合は、（電池パック４０の残容量）および（電力情報Ｐ）間の大小関係に応じて撮影可否を再度決定する。なお、継続操作済みフラグは後述するステップＳ２１を肯定判定する場合にセットされる。
【００３４】
一方、カメラコントローラ２６は、継続操作済みフラグがセットされていない場合にはステップＳ１８を否定判定し、ステップＳ１９へ進む。ステップＳ１９において、カメラコントローラ２６は撮影不可を決定してステップＳ２０へ進む。
【００３５】
ステップＳ２０において、カメラコントローラ２６は表示制御回路１７へ指令を送り、画像表示ＬＣＤ１８に予備電池マークを表示させてステップＳ２１へ進む。図３は、電子カメラ１０の背面に設けられた画像表示ＬＣＤ１８の表示内容を例示する図である。電子カメラ１０は、ステップＳ２０で通常の電池マーク３１とともに予備電池マーク３２を表示する前は、電池の消耗情報として通常の電池マーク３１のみを表示するように構成されている。予備電池マーク３１は、継続操作後に使用可能な電池容量を示す。
【００３６】
ステップＳ２１において、カメラコントローラ２６は継続操作の有無を判定する。カメラコントローラ２６は、操作入力部材２７から継続操作信号が入力された場合にステップＳ２１を肯定判定してステップＳ２２へ進む。ステップＳ２２へ進む場合は、継続操作済みフラグをセットする。カメラコントローラ２６は、操作入力部材２７から継続操作信号が入力されない場合はステップＳ２１を否定判定して図２による処理を終了する。
【００３７】
ステップＳ２２において、カメラコントローラ２６は、撮影可へ変更してステップＳ１５へ進む。この場合は、電池パック４０の残容量および電力情報Ｐ間の大小関係に応じて撮影可否を再び決定する。
【００３８】
以上説明した実施形態によれば、次の作用効果が得られる。
（１）電子カメラ１０は、電池パック４０の残容量の低下に応じて撮影開始操作の受付を２段階で禁止する。通常、電力情報Ｐは総容量の１０％未満なので、ステップＳ１５を肯定判定するより先にステップＳ１４を否定判定する。つまり、電池パック４０の残容量が低下して総容量の１０％未満になったことを検出すると、電池パック４０を使い切る前にレリーズ操作を一旦禁止することができる。
【００３９】
（２）上記（１）の撮影禁止状態は、予備電池表示（ステップＳ２０）後、ユーザによって継続操作が行われるまで維持するので、残容量の低下を確実にユーザへ知らせることができる。
【００４０】
（３）継続操作信号が入力された場合は（ステップＳ２１を肯定判定）、撮影禁止を解除（撮影可に変更：ステップＳ２２）する。解除後の撮影可否の決定は、電池パック４０の残容量および電力情報Ｐ間の大小関係に応じて行う（ステップＳ１５〜Ｓ１７）ので、電池パック４０の容量低下に起因するバッファメモリ２１内のデータ消失を防止するとともに、電池パック４０の残容量が不足する前に記録メディア３０への記録を確実に終了できる。
【００４１】
（４）上記（３）に加えて、撮影禁止解除後は、電池パック４０を使い切るまで撮影を続けることが可能である。
【００４２】
（変形例１）
上述した説明では、電池コントローラ４１が電池情報として実際の残容量を示す情報をカメラコントローラ２６へ送信するようにした。この代わりに、実際の残容量から電力情報Ｐを差し引いた値をカメラコントローラ２６へ送信するようにしてもよい。この場合のカメラコントローラ２６は、ステップＳ１２において、電池コントローラ４１に対する電池情報要求時に電力情報Ｐを送信する。これに対応して電池コントローラ４１は、（残容量）−（電力情報Ｐ）を算出し、算出結果を電池情報としてカメラコントローラ２６へ送信する。電池情報を受信したカメラコントローラ２６は、ステップＳ１５において、（電池情報）≦０が成立する場合にステップＳ１５を肯定判定してステップＳ１７へ進み、（電池情報）＞０が成立する場合にはステップＳ１５を否定判定し、ステップＳ１６へ進む。
【００４３】
（変形例２）
電力情報Ｐを固定値としてもよい。この場合には、あらかじめ想定されるバッファサイズ、記録モードおよび記録メディア３０の種類の組み合わせのうち、最大値を有する電力情報をＰとする。電力情報Ｐを固定値とすることで、カメラコントローラ２６の演算量が減り、撮影可否決定処理を短時間で行うことができる。
【００４４】
（変形例３）
ステップＳ１４における判定閾値を電池パック４０の総容量の１０％としたが、この値は適宜変更して構わない。また、図４に例示するように、メニュー操作画面においてユーザが変更操作可能に構成してもよい。たとえば、「残容量制限パーセント」の項目が「５％」にセットされた場合の電子カメラ１０は、電池パック４０の残容量が低下して総容量の５％になるとレリーズ操作を一旦禁止させる。撮影禁止解除後に使用できる容量をユーザが決められるようにすることで、使い勝手のよいカメラが得られる。
【００４５】
（変形例４）
予備電池マークを画像表示ＬＣＤ１８に表示する場合を例示したが、電子カメラ１０の肩部に設けられる表示出力部２８に表示させてもよい。また、電子カメラ１０の背面に設けられたファインダー接眼窓３３を通して観察されるファインダー内表示器（不図示）に表示させてもよい。
【００４６】
（変形例５）
予備電池マーク３２の表示態様は、通常の電池マーク３１と別に表示させる他に、図５に例示するように、通常の電池マーク５１に付加する態様で予備電池マーク５２を表示させてもよい。図５(a)は、通常の電池マーク５１で残容量１００％を例示する図である。通常の電池マーク５１は、残容量の低下に応じて白抜き部分を広くするように表示制御される。電池パック４０の残容量が判定閾値まで低下した状態は、通常の電池マーク５１の全域を白抜きで表示する状態に対応する。図５(b)は、予備電池マーク５２で残容量１０％を例示する図である。ステップＳ２０において予備電池表示した場合、空（白抜き）状態の通常の電池マーク５１Ａに付加して、残容量１０％を示す予備電池マーク５２が表示される。
【００４７】
（変形例６）
ステップＳ１４における判定閾値を電池パック４０の総容量と残容量の比（パーセント表示）で表す場合を説明したが、画像再生時間で表してもよい。カメラコントローラ２６は、次式（４）を用いて所定時間ｔpの画像再生に必要な電力情報Ｐpを算出する。
Ｐp＝Ｄ×ｔp            （４）
ただし、Ｄは画像表示ＬＣＤ１８に再生画像を表示させる場合の単位時間あたりの消費電流であり、ｔpは画像再生時間である。
【００４８】
図４のメニュー操作画面に例示するように、たとえば「画像再生のみ」の項目が「３分」にセットされた場合の電子カメラ１０は、電池パック４０の残容量が低下して画像表示ＬＣＤ１８へ再生画像を３分間表示させるのに必要な残容量になるとレリーズ操作を一旦禁止させる。この場合は、直前に撮影した画像を画像表示ＬＣＤ１８に表示させて確認したい場合、３分間は再生表示可能である。電池パック４０の消耗状態に応じて撮影を一旦禁止する場合、残しておく電池容量を再生時間で表すことで、パーセント表示のみの場合に比べて使い勝手のよいカメラが得られる。
【００４９】
（変形例７）
以上説明したように、電池パック４０の残容量に応じて複数段階に分けて撮影操作の受付を禁止する処理を行う場合と、従来どおり、電池パック４０を使い切った場合に撮影操作の受付を禁止する場合とを切換え可能に構成してもよい。この場合、複数段階に分けて撮影操作の受付を禁止する図２の処理を行うように切換えられた電子カメラ１０は、その旨を表示するとよい。たとえば、画像表示ＬＣＤ１８、表示出力部２８およびファインダー内表示器（不図示）の少なくとも１つに対し、「電池残量制限処理中」というメッセージまたはマークなど表示する。
【００５０】
以上の説明はあくまで一例であり、上記の実施形態の構成に何ら限定されるものではない。
【図面の簡単な説明】
【００５１】
【図１】本発明の一実施の形態による電子スチルカメラの構成を説明するブロック図である。
【図２】カメラコントローラが行う撮影可否決定処理の流れを説明するフローチャートである。
【図３】画像表示ＬＣＤの表示内容を例示する図である。
【図４】メニュー操作画面を例示する図である。
【図５】(a)は通常の電池マークで残容量１００％を例示する図であり、(b)は予備電池マークで残容量１０％を例示する図である。
【符号の説明】
【００５２】
１０…電子カメラ
１８…画像表示ＬＣＤ
２６…カメラコントローラ
２７…操作入力部材
４０…電池パック
４１…電池コントローラ
４４…二次電池セル
【図１】
2009116052.tif 000003
【図２】
2009116052.tif 000004
【図３】
2009116052.tif 000005
【図４】
2009116052.tif 000006
【図５】
2009116052.tif 000007